(57)【要約】【課題】複数のユーザーによる操作の利便性を向上することのできる画像処理装置、画像処理装置の制御方法、および画像処理装置の制御プログラムを提供する。【解決手段】画像処理装置としてのＭＦＰは、ログインした第１のユーザーの設定の情報を設定情報テーブルに記憶する（Ｓ３）。ＭＦＰは、ＭＦＰが実行するジョブの条件の第１の設定を受け付けると（Ｓ５）、第１の設定を行った第２のユーザーを認識し（Ｓ７）、第２のユーザーの第１の設定の情報を設定情報テーブルに記憶する（Ｓ９）。ＭＦＰは、第２のユーザーの第１の設定の情報に基づいて、第２のユーザーの第２の設定の情報を設定情報テーブルに記憶する（Ｓ１０）。ＭＦＰは、第１の設定を受け付け可能なオブジェクトを、第１のユーザーの第１の設定の情報と、第２のユーザーの第１の設定の情報との両方を示す表示形態でタッチパネルに表示する（Ｓ１３）。【選択図】図１４
2013162299.tif 000002
【特許請求の範囲】
【請求項１】
タッチパネルと、
記憶部と、
第１のユーザーの、画像処理装置が実行する動作に関する第１の設定の情報を前記記憶部に記憶する第１の記憶手段と、
前記画像処理装置が実行する動作に関する第２の設定を受け付ける設定受付手段と、
前記第２の設定を行ったユーザーを認識する認識手段と、
前記第２の設定を行ったユーザーが第２のユーザーであることを前記認識手段にて認識した場合に、前記第２のユーザーの第２の設定の情報を前記記憶部に記憶する第２の記憶手段と、
前記第２のユーザーの第２の設定の情報に基づいて、前記第２のユーザーの第１の設定の情報を前記記憶部に記憶する第３の記憶手段と、
前記第１の設定を受け付け可能な第１のオブジェクトを、前記第１のユーザーの第１の設定の情報と、前記第２のユーザーの第１の設定の情報との両方を示す表示形態で前記タッチパネルに表示する表示手段とを備えた、画像処理装置。
【請求項２】
前記第２のユーザーであることを前記認識手段にて認識した場合に、前記第３の記憶手段は、前記第１のユーザーの第１の設定の情報を変更しない、請求項１に記載の画像処理装置。
【請求項３】
前記表示手段は、さらに、前記第２の設定を受け付け可能な第２のオブジェクトを、前記第１のユーザーの第２の設定の情報と、前記第２のユーザーの第２の設定の情報との両方を示す表示形態で前記タッチパネルに表示する、請求項１または２に記載の画像処理装置。
【請求項４】
前記表示手段は、
前記記憶部が複数のユーザーの第２の設定の情報を記憶している場合に、前記第２のオブジェクトの表示領域を前記複数のユーザーの人数で分割することにより得られた分割領域の各々に、前記複数のユーザーの各々の第２の設定の情報を示す表示形態で、前記第２のオブジェクトを表示する分割領域表示手段を含む、請求項３に記載の画像処理装置。
【請求項５】
前記表示手段は、
前記記憶部が記憶しているユーザーの前記第２の設定の情報を文字にて示す表示態様で、前記第２のオブジェクトを表示する文字表示手段と、
前記記憶部が記憶しているユーザーの前記第２の設定の情報を、図および記号のうち少なくともいずれか一方で示す表示態様で、前記第２のオブジェクトを表示する図記号表示手段と、
前記第２の設定を有効にしているユーザーの人数に基づいて、前記文字表示手段による表示と前記図記号表示手段による表示とのいずれによる表示を行うかを決定する表示決定手段とを含む、請求項３または４に記載の画像処理装置。
【請求項６】
前記表示手段は、
前記第１のユーザーの第２の情報と、前記第２のユーザーの第２の情報とが同一である場合に、前記第１および第２のユーザーの第２の情報が同一であることを示す表示形態で、前記第２のオブジェクトを表示する同一表示手段を含む、請求項３〜５のいずれかに記載の画像処理装置。
【請求項７】
前記表示手段は、
前記第１のユーザーの第２の情報と、前記第２のユーザーの第２の情報とが相違する場合に、前記第１および第２のユーザーの第２の情報が相違することを示す表示形態で、前記第２のオブジェクトを表示する相違表示手段を含む、請求項３〜６のいずれかに記載の画像処理装置。
【請求項８】
前記表示手段は、
前記タッチパネルに対する前記第１および第２のユーザーの各々の存在位置を検知する位置検知手段と、
前記第１のユーザーの存在位置を含む第１の角度範囲の視野角で前記第１のユーザーの第２の情報を示す表示態様で、前記第２のオブジェクトを表示する第１の視野角表示手段と、
前記第２のユーザーの存在位置を含む第２の角度範囲の視野角で前記第２のユーザーの第２の情報を示す表示態様で、前記第２のオブジェクトを表示する第２の視野角表示手段とを含む、請求項３〜７のいずれかに記載の画像処理装置。
【請求項９】
前記タッチパネルにおけるオブジェクトが表示されていないエリアに表示したサブウィンドウ内に、前記第１のユーザーの第２の情報と、前記第２のユーザーの第２の情報とを示すサブウィンドウ表示手段をさらに備えた、請求項３〜８のいずれかに記載の画像処理装置。
【請求項１０】
前記第２のユーザーから第１および第２の情報のクリアを受け付けるクリア受付手段と、
前記クリア受付手段にてクリアを受け付けた場合に、前記第１のユーザーの第１および第２の情報を前記記憶部から消去せずに、前記第２のユーザーの第１および第２の情報を前記記憶部から消去する情報消去手段とをさらに備えた、請求項１〜９のいずれかに記載の画像処理装置。
【請求項１１】
前記タッチパネルに表示された、前記画像処理装置が実行する動作に関する第３の設定を受け付け可能な第３のオブジェクトでダブルクリックを受け付けるダブルクリック受付手段と、
前記ダブルクリック受付手段にてダブルクリックを受け付けた場合に、ダブルクリックの１回目のクリックを行ったユーザーと、ダブルクリックの２回目のクリックを行ったユーザーとが同一であるか否かを判別する同一判別手段と、
前記同一判別手段にて同一であると判別した場合に、前記同一判別手段にて同一であると判別したユーザーの第３の設定の情報を前記記憶部に記憶する第４の記憶手段とをさらに備えた、請求項１〜１０のいずれかに記載の画像処理装置。
【請求項１２】
前記第１および第２の設定は、前記画像処理装置が実行するジョブの条件の設定である、請求項１〜１１のいずれかに記載の画像処理装置。
【請求項１３】
前記第１および第２の設定は、双方の設定を有効にすることができない組み合わせ禁止のジョブの条件の設定であり、
前記第３の記憶手段は、前記第２のユーザーの第１の設定を無効化する、請求項１２に記載の画像処理装置。
【請求項１４】
タッチパネルと記憶部とを含む画像処理装置の制御方法であって、
第１のユーザーの、前記画像処理装置が実行する動作に関する第１の設定の情報を前記記憶部に記憶する第１の記憶ステップと、
前記画像処理装置が実行する動作に関する第２の設定を受け付ける設定受付ステップと、
前記第２の設定を行ったユーザーを認識する認識ステップと、
前記第２の設定を行ったユーザーが第２のユーザーであることを前記認識ステップにて認識した場合に、前記第２のユーザーの第２の設定の情報を前記記憶部に記憶する第２の記憶ステップと、
前記第２のユーザーの第２の設定の情報に基づいて、前記第２のユーザーの第１の設定の情報を前記記憶部に記憶する第３の記憶ステップと、
前記第１の設定を受け付け可能な第１のオブジェクトを、前記第１のユーザーの第１の設定の情報と、前記第２のユーザーの第１の設定の情報との両方を示す表示形態で前記タッチパネルに表示する表示ステップとを備えた、画像処理装置の制御方法。
【請求項１５】
タッチパネルと記憶部とを含む画像処理装置の制御プログラムであって、
第１のユーザーの、前記画像処理装置が実行する動作に関する第１の設定の情報を前記記憶部に記憶する第１の記憶ステップと、
前記画像処理装置が実行する動作に関する第２の設定を受け付ける設定受付ステップと、
前記第２の設定を行ったユーザーを認識する認識ステップと、
前記第２の設定を行ったユーザーが第２のユーザーであることを前記認識ステップにて認識した場合に、前記第２のユーザーの第２の設定の情報を前記記憶部に記憶する第２の記憶ステップと、
前記第２のユーザーの第２の設定の情報に基づいて、前記第２のユーザーの第１の設定の情報を前記記憶部に記憶する第３の記憶ステップと、
前記第１の設定を受け付け可能な第１のオブジェクトを、前記第１のユーザーの第１の設定の情報と、前記第２のユーザーの第１の設定の情報との両方を示す表示形態で前記タッチパネルに表示する表示ステップとをコンピューターに実行させる、画像処理装置の制御プログラム。
【発明の詳細な説明】
【技術分野】
【０００１】
本発明は画像処理装置、画像処理装置の制御方法、および画像処理装置の制御プログラムに関し、より特定的には、複数のユーザーによる操作の利便性を向上することのできる画像処理装置、画像処理装置の制御方法、および画像処理装置の制御プログラムに関する。
【背景技術】
【０００２】
今日、ＭＦＰ（Ｍｕｌｔｉｆｕｎｃｔｉｏｎ  Ｐｅｒｉｐｈｅｒａｌ、複合機）には、通常、タッチパネル式の操作パネル（オペレーションパネル）が備え付けられている。ユーザーは操作パネルに表示されたキーをタッチすることで、ＭＦＰに対して入力操作を行なうことができる。
【０００３】
タッチパネルに関する従来の技術は、たとえば下記特許文献１〜３などに開示されている。下記特許文献１には、人体通信機能を備えた情報入力装置が開示されている。この技術では、外部装置を保持するユーザーがタッチ操作を行った場合に、情報入力装置は、そのユーザーにより誘起される電極層の電気的変化に基づいて、ユーザーがタッチ操作を行ったオブジェクトを特定する。また情報入力装置は、電極層を人体通信用の伝送路として用い、タッチパネル面に接触したユーザーの人体を介して外部装置との間で人体通信を行うことにより、タッチ操作を行ったユーザーを識別する。この技術を画像形成装置に適用することにより、複数ユーザーが画像形成装置を操作する場合に、画像形成装置は、ユーザー毎にログインまたはログアウト処理を行わなくても、タッチパネル上で、複数のユーザーからの操作を同時に受け付けることが可能となる。
【０００４】
また下記特許文献２には、ユーザーがデジカメで撮った写真を、店頭にあるプリント注文装置を使って自らプリント注文する場合に、複数のサムネイル画像をタッチパネル画面に表示し、複数のユーザーからプリントしたい画像の選択を受け付けるプリント注文装置が開示されている。このプリント注文装置は、ユーザーの指紋によって操作したユーザーを識別し、画像を選択するための入力操作を行ったユーザー毎に、処理対象とする画像を選択する。
【０００５】
下記特許文献２では、各ユーザーがどの画像を選択したかを認識しやすくするために、プリント注文装置は、各撮影画像の下部などに、各撮影画像を各ユーザーが選択したか否かを表示するチェックボックスをユーザー名と共に表示する。プリント注文装置は、複数のユーザーが同じ撮影画像をプリント指定した場合には、それらのユーザーに対応した色で多重のフレームを表示する。
【０００６】
さらに下記特許文献３には、ドキュメントを表示するための表示装置と、表示装置上のドキュメントの操作および編集を行う複数の入力装置を備える電子黒板システムが開示されている。この電子黒板システムでは、表示装置は、ドキュメントを表示する表示手段と、表示手段に表示するドキュメントの制御を行う制御手段と、入力装置との間で入力装置が持つ固有の入力装置識別子情報の通信を行う入力装置判別手段とを備える。入力装置は、複数の入力装置間で、または表示装置との間で入力装置識別子情報の通信を行う入力装置判別手段を備える。
【先行技術文献】
【特許文献】
【０００７】
【特許文献１】特開２０１０−２８６８９５号公報
【特許文献２】特開２００９−２４４７２５号公報
【特許文献３】特開２００８−１１８３０１号公報
【発明の概要】
【発明が解決しようとする課題】
【０００８】
ＭＦＰの操作パネルには、所定の場合に、ＭＦＰが実行するジョブの条件の設定（モード設定）を受け付ける複数のオブジェクトが表示される。ユーザーはこれらのオブジェクトを通じてジョブの条件を設定可能である。
【０００９】
ジョブの条件の中には、特定のジョブの条件と組み合わせて設定することができないものがある。たとえば、印刷ジョブに使用する用紙としてＡ４サイズの用紙を設定した場合、ユーザーは手差しトレイから給紙する用紙のサイズを設定することができない。また、用紙の左上をステープルする設定を行った場合、ユーザーは用紙の右側をステープルする設定を行うことができない。このため、あるオブジェクトを通じてジョブの条件を設定した場合、他のジョブの条件の設定を禁止する場合がある。この場合、従来のＭＦＰでは、禁止するジョブの条件（設定不可能なジョブの条件）に関するオブジェクトをグレーアウトしたり、非表示にしたりする。
【００１０】
しかし、操作パネルが複数のユーザーから設定を受け付ける場合には、ジョブの条件の設定内容がユーザー毎に異なるため、設定不可能なジョブの条件に関するオブジェクトもユーザー毎に異なる。このため従来のＭＦＰでは、操作パネルが複数のユーザーによる設定を受け付ける場合には、オブジェクトをグレーアウトや非表示にすることはできなかった。このため、ユーザーは、設定可能なジョブの条件に関するオブジェクトと、設定不可能なジョブの条件に関するオブジェクトとを操作パネルの画面上で区別することができなかった。
【００１１】
また、操作パネルが複数のユーザーによる設定を受け付ける場合には、同一の原稿に対して、複数のユーザーから異なるジョブの条件を同時に受け付けることができなかった。たとえば、あるユーザーが原稿を小冊子で出力することを望んでおり、別のユーザーが同じ原稿に対して片面のコーナーステープルで出力することを望んでいる場合を想定する。この場合、従来の技術では、小冊子とコーナーステープルとは同時に設定することができないため、後に設定を受け付けた方のジョブの条件が採用され、前に設定されたジョブの条件は自動的に解除されていた。その結果、どちらか一方のユーザーが出力を完了するまで、もう一方のユーザーはジョブの実行を待たされていた。
【００１２】
この問題に関して、特許文献２のプリント注文装置では、複数のユーザーがプリントしたい画像を選択している場合に、各ユーザーは、自分がどの撮影画像を選択したかを確認することは可能である。しかし、各ユーザーは、あるオブジェクトを通じてジョブの条件を設定した場合に、その設定によりどのジョブの条件の設定が禁止されるのかを認識することはできなかった。
【００１３】
本発明は、上記課題を解決するためのものであり、その目的は、複数のユーザーによる操作の利便性を向上することのできる画像処理装置、画像処理装置の制御方法、および画像処理装置の制御プログラムを提供することである。
【課題を解決するための手段】
【００１４】
本発明の一の局面に従う画像処理装置は、タッチパネルと、記憶部と、第１のユーザーの、画像処理装置が実行する動作に関する第１の設定の情報を記憶部に記憶する第１の記憶手段と、画像処理装置が実行する動作に関する第２の設定を受け付ける設定受付手段と、第２の設定を行ったユーザーを認識する認識手段と、第２の設定を行ったユーザーが第２のユーザーであることを認識手段にて認識した場合に、第２のユーザーの第２の設定の情報を記憶部に記憶する第２の記憶手段と、第２のユーザーの第２の設定の情報に基づいて、第２のユーザーの第１の設定の情報を記憶部に記憶する第３の記憶手段と、第１の設定を受け付け可能な第１のオブジェクトを、第１のユーザーの第１の設定の情報と、第２のユーザーの第１の設定の情報との両方を示す表示形態でタッチパネルに表示する表示手段とを備える。
【００１５】
上記画像処理装置において好ましくは、第２のユーザーであることを認識手段にて認識した場合に、第３の記憶手段は、第１のユーザーの第１の設定の情報を変更しない。
【００１６】
上記画像処理装置において好ましくは、表示手段は、さらに、第２の設定を受け付け可能な第２のオブジェクトを、第１のユーザーの第２の設定の情報と、第２のユーザーの第２の設定の情報との両方を示す表示形態でタッチパネルに表示する。
【００１７】
上記画像処理装置において好ましくは、表示手段は、記憶部が複数のユーザーの第２の設定の情報を記憶している場合に、第２のオブジェクトの表示領域を複数のユーザーの人数で分割することにより得られた分割領域の各々に、複数のユーザーの各々の第２の設定の情報を示す表示形態で、第２のオブジェクトを表示する分割領域表示手段を含む。
【００１８】
上記画像処理装置において好ましくは、表示手段は、記憶部が記憶しているユーザーの第２の設定の情報を文字にて示す表示態様で、第２のオブジェクトを表示する文字表示手段と、記憶部が記憶しているユーザーの第２の設定の情報を、図および記号のうち少なくともいずれか一方で示す表示態様で、第２のオブジェクトを表示する図記号表示手段と、第２の設定を有効にしているユーザーの人数に基づいて、文字表示手段による表示と図記号表示手段による表示とのいずれによる表示を行うかを決定する表示決定手段とを含む。
【００１９】
上記画像処理装置において好ましくは、表示手段は、第１のユーザーの第２の情報と、第２のユーザーの第２の情報とが同一である場合に、第１および第２のユーザーの第２の情報が同一であることを示す表示形態で、第２のオブジェクトを表示する同一表示手段を含む。
【００２０】
上記画像処理装置において好ましくは、表示手段は、第１のユーザーの第２の情報と、第２のユーザーの第２の情報とが相違する場合に、第１および第２のユーザーの第２の情報が相違することを示す表示形態で、第２のオブジェクトを表示する相違表示手段を含む。
【００２１】
上記画像処理装置において好ましくは、表示手段は、タッチパネルに対する第１および第２のユーザーの各々の存在位置を検知する位置検知手段と、第１のユーザーの存在位置を含む第１の角度範囲の視野角で第１のユーザーの第２の情報を示す表示態様で、第２のオブジェクトを表示する第１の視野角表示手段と、第２のユーザーの存在位置を含む第２の角度範囲の視野角で第２のユーザーの第２の情報を示す表示態様で、第２のオブジェクトを表示する第２の視野角表示手段とを含む。
【００２２】
上記画像処理装置において好ましくは、タッチパネルにおけるオブジェクトが表示されていないエリアに表示したサブウィンドウ内に、第１のユーザーの第２の情報と、第２のユーザーの第２の情報とを示すサブウィンドウ表示手段をさらに備える。
【００２３】
上記画像処理装置において好ましくは、第２のユーザーから第１および第２の情報のクリアを受け付けるクリア受付手段と、クリア受付手段にてクリアを受け付けた場合に、第１のユーザーの第１および第２の情報を記憶部から消去せずに、第２のユーザーの第１および第２の情報を記憶部から消去する情報消去手段とをさらに備える。
【００２４】
上記画像処理装置において好ましくは、タッチパネルに表示された、画像処理装置が実行する動作に関する第３の設定を受け付け可能な第３のオブジェクトでダブルクリックを受け付けるダブルクリック受付手段と、ダブルクリック受付手段にてダブルクリックを受け付けた場合に、ダブルクリックの１回目のクリックを行ったユーザーと、ダブルクリックの２回目のクリックを行ったユーザーとが同一であるか否かを判別する同一判別手段と、同一判別手段にて同一であると判別した場合に、同一判別手段にて同一であると判別したユーザーの第３の設定の情報を記憶部に記憶する第４の記憶手段とをさらに備える。
【００２５】
上記画像処理装置において好ましくは、第１および第２の設定は、画像処理装置が実行するジョブの条件の設定である。
【００２６】
上記画像処理装置において好ましくは、第１および第２の設定は、双方の設定を有効にすることができない組み合わせ禁止のジョブの条件の設定であり、第３の記憶手段は、第２のユーザーの第１の設定を無効化する。
【００２７】
本発明の他の局面に従う画像処理装置の制御方法は、タッチパネルと記憶部とを含む画像処理装置の制御方法であって、第１のユーザーの、画像処理装置が実行する動作に関する第１の設定の情報を記憶部に記憶する第１の記憶ステップと、画像処理装置が実行する動作に関する第２の設定を受け付ける設定受付ステップと、第２の設定を行ったユーザーを認識する認識ステップと、第２の設定を行ったユーザーが第２のユーザーであることを認識ステップにて認識した場合に、第２のユーザーの第２の設定の情報を記憶部に記憶する第２の記憶ステップと、第２のユーザーの第２の設定の情報に基づいて、第２のユーザーの第１の設定の情報を記憶部に記憶する第３の記憶ステップと、第１の設定を受け付け可能な第１のオブジェクトを、第１のユーザーの第１の設定の情報と、第２のユーザーの第１の設定の情報との両方を示す表示形態でタッチパネルに表示する表示ステップとを備える。
【００２８】
本発明のさらに他の局面に従う画像処理装置の制御プログラムは、タッチパネルと記憶部とを含む画像処理装置の制御プログラムであって、第１のユーザーの、画像処理装置が実行する動作に関する第１の設定の情報を記憶部に記憶する第１の記憶ステップと、画像処理装置が実行する動作に関する第２の設定を受け付ける設定受付ステップと、第２の設定を行ったユーザーを認識する認識ステップと、第２の設定を行ったユーザーが第２のユーザーであることを認識ステップにて認識した場合に、第２のユーザーの第２の設定の情報を記憶部に記憶する第２の記憶ステップと、第２のユーザーの第２の設定の情報に基づいて、第２のユーザーの第１の設定の情報を記憶部に記憶する第３の記憶ステップと、第１の設定を受け付け可能な第１のオブジェクトを、第１のユーザーの第１の設定の情報と、第２のユーザーの第１の設定の情報との両方を示す表示形態でタッチパネルに表示する表示ステップとをコンピューターに実行させる。
【発明の効果】
【００２９】
本発明によれば、複数のユーザーによる操作の利便性を向上することのできる画像処理装置、画像処理装置の制御方法、および画像処理装置の制御プログラムを提供することができる。
【図面の簡単な説明】
【００３０】
【図１】本発明の第１の実施の形態における画像処理システムの概略的な構成を示す図である。
【図２】ＭＦＰ１の内部構成を示すブロック図である。
【図３】ＭＦＰ１の操作パネル１３０の外観を模式的に示す図である。
【図４】ＭＦＰ１の人体通信機能を説明する図である。
【図５】固定記憶装置１１０が記憶する設定情報テーブルの内容を模式的に示す図である。
【図６】操作パネル１３０の表示部１３４に表示された画面の第１の例を示す図である。
【図７】Ｘ＝８０ｍｍ、Ｙ＝９０ｍｍのサイズの手差し用紙をユーザーＣが設定した場合の設定情報テーブルの内容を模式的に示す図である。
【図８】ユーザーＡがＭＦＰ１に新たにログインした場合の設定情報テーブルの内容を模式的に示す図である。
【図９】ユーザーＡがＡ４サイズの用紙を設定した場合の設定情報テーブルの内容を模式的に示す図である。
【図１０】操作パネル１３０の表示部１３４に表示された画面の第２の例を示す図である。
【図１１】ユーザーＢがＭＦＰ１に新たにログインし、Ａ３サイズの用紙を設定した場合の設定情報テーブルの内容を模式的に示す図である。
【図１２】操作パネル１３０の表示部１３４に表示された画面の第３の例を示す図である。
【図１３】１人のユーザーでは双方を有効にすることができないジョブの条件の設定を、複数のユーザーから受け付けた場合の、操作パネル１３０の表示画面を模式的に示す図である。
【図１４】ＭＦＰ１の動作を示すフローチャートである。
【図１５】図１４のステップＳ１０のサブルーチンである。
【図１６】本発明の第２の実施の形態において、操作パネル１３０の表示部１３４に表示された画面を模式的に示す図である。
【図１７】本発明の第３の実施の形態において、操作パネル１３０の表示部１３４に表示された画面を模式的に示す図である。
【図１８】操作パネル１３０に対するユーザーＡ〜Ｃの各々の存在位置と、ユーザーＡ〜Ｃの各々の設定情報を示す視野角との関係を模式的に示す図である。
【図１９】本発明の第４の実施の形態において、操作パネル１３０の表示部１３４に表示された画面を模式的に示す図である。
【図２０】本発明の第５の実施の形態において、操作パネル１３０の表示部１３４に表示された画面を模式的に示す図である。
【図２１】本発明の第６の実施の形態において、操作パネル１３０の表示部１３４に表示された画面を模式的に示す図である。
【図２２】本発明の第７の実施の形態における操作パネル１３０の表示画面の変化の第１の状態を説明する。
【図２３】本発明の第７の実施の形態における操作パネル１３０の表示画面の変化の第２の状態を説明する。
【図２４】本発明の第７の実施の形態における操作パネル１３０の表示画面の変化の第３の状態を説明する。
【図２５】本発明の第７の実施の形態における操作パネル１３０の表示画面の変化の第４の状態を説明する。
【図２６】本発明の第８の実施の形態において、操作パネル１３０の表示部１３４に表示された画面を模式的に示す図である。
【発明を実施するための形態】
【００３１】
以下、本発明の実施の形態について、図面に基づいて説明する。
【００３２】
以下の実施の形態における画像処理システムは、画像処理装置として、スキャナー機能、ファクシミリ機能、複写機能、プリンターとしての機能、データ通信機能、およびサーバー機能を備えたＭＦＰ（画像処理装置の一例）を含むシステムである。画像処理装置は、ＭＦＰである場合の他、ファクシミリ装置、複写機、プリンターなどのＭＦＰ以外の画像形成装置であってもよいし、ＰＣやスキャナーなどであってもよい。
【００３３】
［第１の実施の形態］
始めに、本実施の形態における画像処理システムの概略的な構成について説明する。
【００３４】
図１は、本発明の第１の実施の形態における画像処理システムの概略的な構成を示す図である。
【００３５】
図１を参照して、画像処理システムは、ｎ（ｎは自然数）個のＭＦＰ１−１〜１−ｎ（画像処理装置の一例）と、ｍ（ｍは自然数）個の情報処理装置２−１〜２−ｍと、ｚ（ｚは自然数）個の人体通信装置３−１〜３−ｚとを備えている。ＭＦＰ１−１〜１−ｎの各々と情報処理装置２−１〜２−ｍの各々とは、ネットワーク４ａを通じて相互に接続されている。ネットワーク４ａは、外部ネットワーク５を介して、他のネットワーク４ｂと接続されている。人体通信装置３−１〜３−ｚの各々は、人体（ユーザーの身体）を通じてＭＦＰ１−１〜１−ｚの各々と通信可能である。
【００３６】
以下、ＭＦＰ１−１〜１−ｎのうち任意のものをＭＦＰ１と呼ぶことがある。情報処理装置２−１〜２−ｍのうち任意のものを情報処理装置２と呼ぶことがある。人体通信装置３−１〜３−ｚのうち任意のものを人体通信装置３と呼ぶことがある。さらに、ネットワーク４ａおよび４ｂのうち任意のものをネットワーク４と呼ぶことがある。
【００３７】
ネットワーク４は、たとえば有線または無線のＬＡＮ（Ｌｏｃａｌ  Ａｒｅａ  Ｎｅｔｗｏｒｋ）などの専用回線を用いたものである。ネットワーク４は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のプロトコルを用いて各種機器を接続する。ネットワーク４に接続された機器は、お互いに各種データのやり取りが可能となっている。なお、ネットワーク４は、一般回線を用いたものや無線通信を用いたものであってもよい。
【００３８】
ＭＦＰ１は、走査した原稿画像の複写画像や、情報処理装置２から受信したプリントデータに基づいて生成した画像の複写画像を、用紙上に形成する。プリントデータとは、たとえば、情報処理装置２のオペレーティングシステムやアプリケーションプログラムが発行する描画命令を、プリンタードライバーによってＭＦＰ１が処理可能なページ記述言語に変換したものである。プリントデータは、ＰＤＦ、ＴＩＦＦ、ＪＰＥＧ、またはＸＰＳなどのファイルフォーマットで記述された文書データなどであってもよい。
【００３９】
ＭＦＰ１は、ネットワーク４を介して、情報処理装置２や他のＭＦＰ１に原稿画像を送信することも可能である。ＭＦＰ１は、外部ネットワーク５を介して、別のネットワーク４に接続された他のＭＦＰ１や情報処理装置２に原稿画像を送信することも可能である。さらにＭＦＰ１は、原稿画像や情報処理装置２から受信した文書データを、ＭＦＰ１内の固定記憶装置１１０（図２）に蓄積することも可能である。
【００４０】
情報処理装置２は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、固定記憶装置（ハードディスク装置など）、モニター、キーボード、およびマウスなどを有する一般的なコンピューター装置である。情報処理装置２は、ユーザーの指示によりプリントデータを生成し、生成したプリントデータをＭＦＰ１に送信する。
【００４１】
人体通信装置３は、それを保持するユーザーの認証情報（識別情報）を記憶している。人体通信装置３は、所定の場合にユーザーの身体を通じてＭＦＰ１との通信を行い、その人体通信装置３が記憶するユーザーの認証情報をＭＦＰ１へ送信する。
【００４２】
図２は、ＭＦＰ１の内部構成を示すブロック図である。
【００４３】
図２を参照して、ＭＦＰ１は、制御部１００と、固定記憶装置１１０と、画像読取装置１２０と、操作パネル１３０と、画像出力装置１４０と、プリンターコントローラー１５０と、ネットワークＩ／Ｆ１６０と、位置検知部１７０とを含んでいる。制御部１００には、固定記憶装置１１０、画像読取装置１２０、操作パネル１３０、画像出力装置１４０、プリンターコントローラー１５０、ネットワークＩ／Ｆ１６０、および位置検知部１７０の各々がバスを介して接続されている。
【００４４】
制御部１００は、スキャンジョブ、コピージョブ、メール送信ジョブ、およびプリントジョブなどの各種ジョブについて、ＭＦＰ１全体の制御を行う。制御部１００は、ＣＰＵ１０１と、ＲＯＭ１０２と、ＳＲＡＭ（Ｓｔａｔｉｃ  Ｒａｎｄｏｍ  Ａｃｃｅｓｓ  Ｍｅｍｏｒｙ）１０３と、ＮＶＲＡＭ（Ｎｏｎ  Ｖｏｌａｔｉｌｅ  Ｒａｎｄｏｍ  Ａｃｃｅｓｓ  Ｍｅｍｏｒｙ、不揮発性メモリ）１０４と、時計ＩＣ（Ｉｎｔｅｇｒａｔｅｄ  Ｃｉｒｃｕｉｔ）１０５とを含んでいる。ＣＰＵ１０１、ＲＯＭ１０２、ＳＲＡＭ１０３、ＮＶＲＡＭ１０４、および時計ＩＣ１０５の各々はバスを介して互いに接続されている。ＣＰＵ１０１は、ＲＯＭ１０２に記憶された制御プログラムを実行する。ＲＯＭ１０２は、ＭＦＰ１の動作を制御する制御プログラムを格納する。ＳＲＡＭ１０３はＣＰＵ１０１の作業用のメモリである。ＮＶＲＡＭ１０４はバッテリバックアップにより、画像形成に関わる各種の設定を記憶している。
【００４５】
固定記憶装置１１０（記憶部の一例）は、たとえばハードディスク装置であり、各種情報を記憶する。特に固定記憶装置１１０は、後述する設定情報テーブル（図５）を記憶する。
【００４６】
画像読取装置１２０は、原稿の画像を読み取る。
【００４７】
操作パネル１３０は、ユーザーから各種の入力を受け付け、各種情報を表示する。操作パネル１３０は、数字の入力を行うテンキー１３１と、印刷の実行指示を受け付けるプリントキー１３２と、ユーザーのログアウトの指示を受け付けるログアウトキー１３３と、各種情報を表示する表示部１３４と、表示部１３４へ画像を表示し、表示部１３４に表示したソフトウェアキーのタッチ操作を受け付ける入出力部１３５（タッチパネルの一例）とを含んでいる。入出力部１３５は、表示部１３４へのユーザーのタッチ操作の位置（接触位置）を検出する接触位置検出部１３６と、人体通信装置３との間で人体通信を行うための人体通信部１３７とを含んでいる。
【００４８】
画像出力装置１４０は、複写画像を用紙上に形成する。
【００４９】
プリンターコントローラー１５０は、ネットワークＩ／Ｆ１６０により受信したプリントデータから複写画像を生成する。
【００５０】
ネットワークＩ／Ｆ１６０は、ネットワークケーブル４ｃを介してＭＦＰ１をネットワーク４に接続する。ネットワークＩ／Ｆ１６０は、他のＭＦＰ１や情報処理装置２などの外部装置との間で、各種の情報を送受信する。
【００５１】
位置検知部１７０は、表示部１３４に対するユーザーの存在位置を検知する。
【００５２】
図３は、ＭＦＰ１の操作パネル１３０の外観を模式的に示す図である。
【００５３】
図３を参照して、操作パネル１３０は、数字の入力を行うテンキー１３１と、タッチパネルとしての機能を有する表示部１３４および入出力部１３５と、ジョブの実行指示を受け付けるスタートキー１３８と、実行中のジョブの停止指示を受け付けるストップキー１３９などを含んでいる。操作パネル１３０は、ＭＦＰ１が実行するジョブの条件の設定を受け付けるオブジェクトを表示部１３４に表示する。ＭＦＰ１は、操作パネル１３０の表示部１３４へのタッチ操作をユーザーから受け付けた場合に、接触位置検出部１３６でユーザーがタッチした座標を検出し、その座標に基づいてユーザーが操作したオブジェクトを特定する。ＭＦＰ１は、ユーザーによってスタートキー１３８が押下された場合に、設定されたジョブの条件でジョブを実行する。
【００５４】
次に、ＭＦＰ１の人体通信機能の概要について説明する。
【００５５】
図４は、ＭＦＰ１の人体通信機能を説明する図である。
【００５６】
図４を参照して、ユーザーは、操作パネル１３０の表示部１３４に表示された画面のオブジェクトＯＢに対してタッチ操作を行うことで、ＭＦＰ１を操作可能である。ユーザーが人体通信装置３を身に付けた状態で操作パネル１３０に対してタッチ操作を行うと、ＭＦＰ１、ユーザーの身体、および人体通信装置３によって電気回路が構成されて、この電気回路に電流が流れる。これにより、人体通信装置３とＭＦＰ１との間での人体通信が可能となる。この人体通信で送受信されるデータは、主にユーザーの認証情報である。
【００５７】
ＭＦＰ１は、操作パネル１３０の表示画面へのタッチ操作をユーザーから受け付けた場合に、人体通信装置３から受信した認証情報に基づいて、ユーザーがタッチしたオブジェクトの操作を許可するか否かの認証（ユーザーのログイン処理）を行う。認証が成功すると、ユーザーはタッチしたオブジェクトの操作が可能になり、ジョブの実行が可能になる。
【００５８】
図５は、固定記憶装置１１０が記憶する設定情報テーブルの内容を模式的に示す図である。
【００５９】
図５を参照して、固定記憶装置１１０は設定情報テーブルを記憶している。ＭＦＰ１は、新たなユーザーのログイン処理を行った場合、そのユーザーがＭＦＰ１で実行するジョブの条件の情報（以降、設定情報と呼ぶことがある）を、デフォルトの状態の内容で設定情報テーブルに新たに登録する。ＭＦＰ１は、ログインユーザーからジョブの条件の変更（有効化または無効化）を受け付けた場合、受け付けた設定の内容に従ってそのユーザーの設定情報を更新する。さらにＭＦＰ１は、ログインユーザーからジョブの実行指示、ログアウトの指示、または設定情報のクリアを受け付けた場合などに、そのユーザーの設定情報を消去する。
【００６０】
なお図５では、ユーザーＣの設定情報がデフォルトの状態の内容で登録されており、いずれの設定も無効になっている。デフォルトの状態の設定情報は、たとえばＡ４サイズの用紙および白黒プリントの設定が有効であり、その他の設定が無効であってもよい。
【００６１】
次に、本実施の形態における操作パネル１３０の表示画面および設定情報テーブルの変化の一例を説明する。
【００６２】
図６は、操作パネル１３０の表示部１３４に表示された画面の第１の例を示す図である。なお、本願の図においては、実際にはカラーである操作パネル１３０の表示画面をモノクロで示している。このため、表示画面における色の違いが線種またはハッチングの違いにより示されている。
【００６３】
図６を参照して、操作パネル１３０の表示部１３４には、たとえばサムネイル画像ＴＮと、オブジェクトＯＢ１〜ＯＢ９と、サブウィンドウＳＷ１と、キーＫ１とが表示される。サムネイル画像ＴＮは、たとえば固定記憶装置１１０やＭＦＰ１に接続された記憶装置（たとえばＵＳＢメモリなど）に保存されているデータのサムネイル画像である。サムネイル画像ＴＮの周囲には、プリントジョブの条件に関する設定を受け付けるオブジェクトＯＢ１〜ＯＢ９と、現在のログインユーザーおよびそのユーザーの設定情報を表す色を表示するサブウィンドウＳＷ１と、現在選択しているサムネイル画像および現在の設定情報をクリア（リセット）するキーであるキーＫ１とが表示されている。
【００６４】
オブジェクトＯＢ１は、カラープリントの設定を受け付けるオブジェクトであり、オブジェクトＯＢ２は、白黒プリントの設定を受け付けるオブジェクトである。オブジェクトＯＢ１の設定とオブジェクトＯＢ２の設定とは互いに組み合わせることができないものである。
【００６５】
オブジェクトＯＢ３は、Ａ４サイズの用紙の設定を受け付けるオブジェクトであり、オブジェクトＯＢ４は、Ａ３サイズの用紙の設定を受け付けるオブジェクトであり、オブジェクトＯＢ５は、手差し用紙（手差し用の給紙トレイに載置された用紙）の設定を受け付けるオブジェクトである。オブジェクトＯＢ３〜ＯＢ５の設定は、互いに組み合わせることができないものである。
【００６６】
オブジェクトＯＢ６は、２枚の原稿の画像を１枚に集約してプリントする設定（２ｉｎ１設定）を受け付けるオブジェクトであり、オブジェクトＯＢ７は、４枚の原稿の画像を１枚に集約してプリントする設定（４ｉｎ１設定）を受け付けるオブジェクトである。オブジェクトＯＢ６の設定とオブジェクトＯＢ７の設定とは互いに組み合わせることができないものである。
【００６７】
オブジェクトＯＢ８は、用紙のコーナーにステープルを行う設定を受け付けるオブジェクトであり、オブジェクトＯＢ９は、用紙の左上にステープルを行う設定を受け付けるオブジェクトである。
【００６８】
ユーザーＣがログインした場合、サブウィンドウＳＷ１には、現在のログインユーザーがユーザーＣであることと、ユーザーＣの設定情報が緑色で示されていることが表示される。
【００６９】
ここで、第１の操作として、ユーザーＣが「３．ｊｐｇ」というデータについてのプリントジョブの条件として、Ｘ（横方向の長さ）＝８０ｍｍ、Ｙ（縦方向の長さ）＝９０ｍｍのサイズの手差し用紙を設定した場合を想定する。
【００７０】
この場合、サムネイル画像ＴＮのうち「３．ｊｐｇ」というデータが緑色の線で囲まれる。また、ユーザーＣにより有効とされた手差し用紙の設定に関するオブジェクトＯＢ５が緑色で表示される。オブジェクトＯＢ５において、手差し用紙のサイズを入力する欄は緑色の線で囲まれて有効化されており、ユーザーＣによる手差し用紙のサイズの入力が可能になっている。手差しサイズを入力する欄には、ユーザーＣが入力した「Ｘ：８０ｍｍ、Ｙ：９０ｍｍ」という用紙サイズが表示される。
【００７１】
ユーザーＣが第１の操作を行った場合、ＭＦＰ１は設定情報テーブルにおけるユーザーＣの設定情報を図７に示す内容に更新する。
【００７２】
図７は、Ｘ＝８０ｍｍ、Ｙ＝９０ｍｍのサイズの手差し用紙をユーザーＣが設定した場合の設定情報テーブルの内容を模式的に示す図である。
【００７３】
図７を参照して、Ｘ＝８０ｍｍ、Ｙ＝９０ｍｍのサイズの手差し用紙をユーザーＣが設定した場合、ＭＦＰ１は、ユーザーＣの設定情報における手差し用紙の設定を有効にし、手差し用紙の設定の欄にＸ：８０ｍｍ、Ｙ：９０ｍｍという用紙サイズを記載する。その結果、ユーザーＣの手差し用紙の設定が有効であること（第１のユーザーの第１の設定の情報の一例）が設定情報テーブルに記憶される。
【００７４】
次に、第２の操作として、ユーザーＡがＭＦＰ１に新たにログインした場合を想定する。
【００７５】
図８は、ユーザーＡがＭＦＰ１に新たにログインした場合の設定情報テーブルの内容を模式的に示す図である。
【００７６】
図８を参照して、ユーザーＡがＭＦＰ１に新たにログインした場合、ＭＦＰ１は、ユーザーＡの設定情報をデフォルトの状態の内容で設定情報テーブルに登録する。ユーザーＡの設定情報では、いずれの設定も無効になっている。
【００７７】
次に、第３の操作として、ユーザーＡが「２．ｐｄｆ」というデータについてのプリントジョブの条件として、Ａ４サイズの用紙を設定した場合を想定する。
【００７８】
図９は、ユーザーＡがＡ４サイズの用紙を設定した場合の設定情報テーブルの内容を模式的に示す図である。
【００７９】
図９を参照して、ユーザーＡがＡ４サイズの用紙を設定（第２のユーザーの第２の設定の一例）した場合、ＭＦＰ１は、ユーザーＡの設定情報におけるＡ４サイズの用紙の設定を有効にする。またＭＦＰ１は、Ａ４サイズの用紙の設定と同時には設定することができない他のジョブの条件を、ＭＦＰ１のジョブの条件の中から検索する。そしてＭＦＰ１は、見つかったジョブの条件について、ユーザーＡの設定が無効になるように、ユーザーＡの設定情報を更新する。具体的には、ユーザーＡの設定情報において、手差し用紙の設定またはＡ３サイズの用紙の設定が有効となっていた場合には、これらの設定が無効に変更される。Ａ４サイズの用紙の設定と、手差し用紙の設定またはＡ３サイズの用紙の設定とは、双方を有効にすることができないジョブの条件（組み合わせ不可能なジョブの条件）であるからである。その結果、ユーザーＡの手差し用紙の設定が無効であること（第２のユーザーの第１の設定の情報の一例）が設定情報テーブルに記憶される。この場合ＭＦＰ１は、ユーザーＢおよびＣの設定情報における手差し用紙の設定を無効化しない。
【００８０】
図１０は、操作パネル１３０の表示部１３４に表示された画面の第２の例を示す図である。
【００８１】
図１０を参照して、ユーザーＡがＭＦＰ１に新たにログインした場合、サブウィンドウＳＷ１には、現在のログインユーザーとしてユーザーＡが追加され、ユーザーＡの設定情報が赤色で示されていることが表示される。
【００８２】
ユーザーＡが、サムネイル画像ＴＮのうち「２．ｐｄｆ」というデータを選択した場合、このデータのサムネイル画像が赤色の線で囲まれる。また、ユーザーＡがＡ４サイズの用紙の設定を行った場合、ユーザーＡのＡ４サイズの用紙の設定が有効になっていることと、ユーザーＣのＡ４サイズの用紙の設定が無効になっていることとを示す表示形態で、オブジェクトＯＢ３（第２のオブジェクトの一例）が表示される。具体的には、オブジェクトＯＢ３が赤色で表示される。
【００８３】
また、オブジェクトＯＢ５（第１のオブジェクトの一例）の表示形態は、図６の場合の表示形態から、ユーザーＡの手差し用紙の設定が無効であることと、ユーザーＣの手差し用紙の設定が有効であることとの両方を示す表示形態に変更される。具体的には、オブジェクトＯＢ５における手差し用紙のサイズを入力する欄（表示領域）が、ログインユーザーの人数（ここでは２人）に対応する数の分割領域ＯＢ５ａおよびＯＢ５ｂに分割される。分割領域ＯＢ５ａは、ユーザーＡを示す赤色の線で囲まれ、たとえばグレーアウトされる。これにより、ユーザーＡの手差し用紙の設定が無効（不可能）となっていることが示される。分割領域ＯＢ５ｂは、ユーザーＣを示す緑色の線で囲まれ、手差し用紙のサイズが表示される。これにより、ユーザーＣの手差し用紙の設定が有効（可能）となっていることが示される。図１０のようにオブジェクトＯＢ５がグレーアウトされた場合には、ユーザーＡからそのオブジェクトＯＢ５へのタッチ操作を受け付けても、ＭＦＰ１は、ユーザーＡの手差し用紙の設定を有効にせず、そのタッチ操作を破棄する。
【００８４】
ＭＦＰ１がユーザーＡの手差し用紙の設定を無効化した場合の他、ユーザーＡが手差し用紙の設定を直接無効化した場合（たとえばオブジェクトＯＢ５をダブルクリックした場合）にも、オブジェクトＯＢ５は図１０に示す表示形態で表示される。
【００８５】
その後、第４の操作として、ユーザーＢがＭＦＰ１に新たにログインし、「７．ｐｐｔ」というデータについてのプリントジョブの条件として、Ａ３サイズの用紙を設定した場合を想定する。
【００８６】
図１１は、ユーザーＢがＭＦＰ１に新たにログインし、Ａ３サイズの用紙を設定した場合の設定情報テーブルの内容を模式的に示す図である。
【００８７】
図１１を参照して、ユーザーＢがＭＦＰ１に新たにログインした場合、ＭＦＰ１は、ユーザーＢの設定情報をデフォルトの状態の内容で設定情報テーブルに登録する。
【００８８】
ユーザーＢがＡ３サイズの用紙を設定した場合、ＭＦＰ１は、ユーザーＢの設定情報におけるＡ３サイズの用紙の設定を有効にする。またＭＦＰ１は、Ａ３サイズの用紙の設定と同時には設定することができないジョブの条件を、ＭＦＰ１のジョブの条件の中から検索する。そしてＭＦＰ１は、見つかったジョブの条件について、ユーザーＢの設定が無効になるように、ユーザーＡの設定情報を更新する。具体的には、ユーザーＢの設定情報において、手差し用紙の設定またはＡ４サイズの用紙の設定が有効となっていた場合には、これらの設定が無効に変更される。Ａ３サイズの用紙の設定と、手差し用紙の設定またはＡ４サイズの用紙の設定とは、双方を有効にすることができないジョブの条件であるからである。
【００８９】
図１２は、操作パネル１３０の表示部１３４に表示された画面の第３の例を示す図である。
【００９０】
図１２を参照して、ユーザーＢがＭＦＰ１に新たにログインした場合、サブウィンドウＳＷ１には、現在のログインユーザーとしてユーザーＢが追加され、ユーザーＢの設定情報が青色で示されていることが表示される。
【００９１】
ユーザーＢが、サムネイル画像ＴＮのうち「７．ｐｐｔ」というデータを選択した場合、このデータのサムネイル画像が青色の線で囲まれる。また、ユーザーＢがＡ３サイズの用紙を設定した場合、ユーザーＢのＡ３サイズの用紙の設定が有効になっていることを示す表示形態で、オブジェクトＯＢ４が表示される。具体的には、オブジェクトＯＢ４が青色で表示される。
【００９２】
オブジェクトＯＢ５の表示形態は、図１０に示す表示形態から、ユーザーＡおよびＢの各々の手差し用紙の設定が無効であることと、ユーザーＣの手差し用紙の設定が有効であることとを示す表示形態に変更される。具体的には、オブジェクトＯＢ５における手差し用紙のサイズを入力する欄が、ログインユーザーの人数（ここでは３人）に対応する数の分割領域ＯＢ５ａ〜ＯＢ５ｃに分割される。分割領域ＯＢ５ｃは、ユーザーＢを示す青色の線で囲まれ、たとえばグレーアウトされる。図１２のように分割領域がグレーアウトされた場合には、ユーザーＢからそのオブジェクトＯＢ５へのタッチ操作を受け付けても、ＭＦＰ１は、ユーザーＢの手差し用紙の設定を有効にせず、そのタッチ操作を破棄する。
【００９３】
本実施の形態のように、設定情報をユーザー毎に記憶することによって、１人のユーザーでは同時に設定できない２つの設定情報の設定を、複数のユーザーから受け付けた場合にも、それらの設定をユーザー毎に区別して受け付けて、各ユーザーの設定情報を表示部１３４に表示することができる。
【００９４】
図１３は、１人のユーザーでは双方を有効にすることができないジョブの条件の設定を、複数のユーザーから受け付けた場合の、操作パネル１３０の表示画面を模式的に示す図である。
【００９５】
図１３を参照して、操作パネル１３０の表示部１３４には、たとえばサムネイル画像ＴＮと、オブジェクトＯＢ１、ＯＢ２、ＯＢ６、ＯＢ７、およびＯＢ１０〜ＯＢ１３と、サブウィンドウＳＷ１と、キーＫ１とが表示される。オブジェクトＯＢ１０およびＯＢ１１は、それぞれ小冊子の中折りおよび中とじの設定を受け付けるオブジェクトであり、オブジェクトＯＢ１２およびＯＢ１３は、それぞれ用紙のコーナーおよび左上へのステープル処理の設定を受け付けるオブジェクトである。
【００９６】
ユーザーＡ、Ｂ、およびＣがログインしており、ユーザーＡ、Ｂ、およびＣの各々は、ジョブの条件の設定を行っている。ユーザーＡおよびユーザーＢは、いずれも「２．ｐｄｆ」というデータを選択しており、ユーザーＡは小冊子の中折りを設定したいと考えており、ユーザーＢはコーナーの左上にステープルをして用紙を出力したいと考えている場合を想定する。
【００９７】
仮にユーザーが１人であれば、１つのデータに対して、ユーザーＡが望む設定と、ユーザーＢが望む設定との双方を有効にして出力することはできない。小冊子の中折りの設定と、コーナーの左上へのステープルの設定とは、双方を有効にすることができないジョブの条件であるからである。しかし、上述のように、２人のユーザーから別々のジョブの条件としてそれぞれの設定を受け付けた場合には、ＭＦＰ１は、ユーザーＡおよびユーザーＢによるこれらの設定を受け付ける。ＭＦＰ１は、設定情報（設定値）をユーザー毎に設定情報テーブルに保持しているため、このような処理が可能である。ＭＦＰ１は、ユーザーＡの中折りの設定と、ユーザーＢのコーナーの左上にステープルの設定とが有効になっていることを示すために、オブジェクトＯＢ１０を赤色で表示し、オブジェクトＯＢ１２およびＯＢ１３を青色で表示する。
【００９８】
続いて、ＭＦＰ１の動作を示すフローチャートについて説明する。
【００９９】
図１４は、ＭＦＰ１の動作を示すフローチャートである。
【０１００】
図１４を参照して、ＭＦＰ１の電源がオンされると、ＭＦＰ１のＣＰＵ１０１は、ユーザーのログイン処理を行ったか（ユーザーの認証に成功したか）否かを判別する（Ｓ１）。
【０１０１】
ステップＳ１において、ログイン処理を行ったと判別した場合（Ｓ１でＹＥＳ）、ＣＰＵ１０１は、ログインしたユーザーの設定情報を設定情報テーブルに新たに登録し（Ｓ３）、ステップＳ５の処理へ進む。一方、ステップＳ１において、ログイン処理を行っていないと判別した場合（Ｓ１でＮＯ）、ＣＰＵ１０１は、ステップＳ５の処理へ進む。
【０１０２】
ステップＳ５において、ＣＰＵ１０１は、ユーザーからジョブの条件の設定を受け付けたか否かを判別する（Ｓ５）。ステップＳ５において、設定を受け付けたと判別した場合（Ｓ５でＹＥＳ）、ＣＰＵ１０１は、人体通信装置３から取得した認証情報に基づいて、設定を行ったユーザーを認証し（Ｓ７）、認証に成功した場合には、受け付けた設定を有効にするように、設定情報テーブルにおけるそのユーザーの設定情報を更新する（Ｓ９）。次にＣＰＵ１０１は、そのユーザーが行った設定とは同時には設定することができない他のジョブの条件の設定を変更（無効化）する処理である、ジョブ条件変更処理を行う（Ｓ１０）。ジョブ条件変更処理の詳細については後述する。一方、ステップＳ５において、設定を受け付けないと判別した場合（Ｓ５でＮＯ）、ＣＰＵ１０１は、ステップＳ１７の処理へ進む。
【０１０３】
ステップＳ１０の処理に続いて、ＣＰＵ１０１は、更新後の設定情報テーブルを参照し、他のログインユーザーが存在する否かを判別する（Ｓ１１）。ステップＳ１１において、存在すると判別した場合（Ｓ１１でＹＥＳ）、ＣＰＵ１０１は、更新後の設定情報テーブルを参照し、設定を行ったユーザーの設定情報と、他のユーザーの設定情報とを表す表示形態でオブジェクトを表示し（Ｓ１３）、ステップＳ１７の処理へ進む。一方、ステップＳ１１において、存在しないと判別した場合（Ｓ１１でＮＯ）、ＣＰＵ１０１は、更新後の設定情報テーブルを参照し、設定を行ったユーザーの設定情報を表す表示形態で、オブジェクトを表示し（Ｓ１５）、ステップＳ１７の処理へ進む。
【０１０４】
ステップＳ１７において、ＣＰＵ１０１は、ジョブの実行指示、ログアウトの指示、または設定情報のクリアをユーザーから受け付けたか否かを判別する（Ｓ１７）。ステップＳ１７において、受け付けたと判別した場合（Ｓ１７でＹＥＳ）、ＣＰＵ１０１は、そのユーザーの設定情報を設定情報テーブルから消去し（Ｓ１９）、設定情報の消去を操作パネル１３０の表示画面に反映し（Ｓ２１）、ステップＳ１の処理へ進む。ステップＳ２１では、ジョブの実行指示、ログアウトの指示、または設定情報のクリアを行ったユーザー以外のユーザーの設定情報は消去されない。一方、ステップＳ１７において、受け付けないと判別した場合（Ｓ１７でＮＯ）、ＣＰＵ１０１は、ステップＳ１の処理へ進む。
【０１０５】
図１５は、図１４のステップＳ１０のサブルーチンである。
【０１０６】
図１５を参照して、ステップＳ１０のジョブ条件変更処理において、ＣＰＵ１０１は、オブジェクト群ＯＢ１〜ＯＢｙ（ｙは表示部１３４に表示されたオブジェクトの数、図６ではｙ＝９）の中から、設定を行ったユーザーが選択したオブジェクトＯＢｋ（ｋは１〜ｙのいずれかの自然数）を特定し（Ｓ１０１）、特定したオブジェクトＯＢｋに関するジョブの条件（設定値など）をＸに設定したことを特定する（Ｓ１０３）。次にＣＰＵ１０１は、変数ｔを１に設定し（Ｓ１０５）、ｔの値がｋの値に等しいか否かを判別する（Ｓ１０７）。
【０１０７】
ステップＳ１０７において、等しくないと判別した場合（Ｓ１０７でＮＯ）、ＣＰＵ１０１は、オブジェクトＯＢｋに関するジョブの条件の設定に伴い、他のジョブの条件の設定を変更する必要がある場合には、その設定を変更する。具体的にＣＰＵ１０１は、オブジェクトＯＢｔの設定が、オブジェクトＯＢｋに関するジョブの条件Ｘと同時に設定可能（組み合わせ可能）か否かを判別する（Ｓ１１１）。一方、ステップＳ１０７において、等しいと判別した場合（Ｓ１０７でＹＥＳ）、ＣＰＵ１０１は、ステップＳ１０９の処理へ進む。
【０１０８】
ステップＳ１１１において、同時に設定可能であると判別した場合（Ｓ１１１でＹＥＳ）、ＣＰＵ１０１は、ログインユーザーが１人か否かを判別する（Ｓ１１３）。
【０１０９】
ステップＳ１１３において、１人であると判別した場合（Ｓ１１３でＹＥＳ）、ＣＰＵ１０１は、オブジェクトＯＢｔに関するジョブの条件を設定可能な状態にし（Ｓ１１５）、ステップＳ１０９の処理へ進む。一方、ステップＳ１１３において、複数人であると判別した場合（Ｓ１１３でＮＯ）、ＣＰＵ１０１は、設定を行ったユーザーのオブジェクトＯＢｔに関するジョブの条件を設定可能な状態にし（Ｓ１２１）、ステップＳ１０９の処理へ進む。
【０１１０】
ステップＳ１１１において、同時に設定不可能であると判別した場合（Ｓ１１１でＮＯ）、ＣＰＵ１０１は、ログインユーザーが１人か否かを判別する（Ｓ１３１）。
【０１１１】
ステップＳ１３１において、１人であると判別した場合（Ｓ１３１でＹＥＳ）、ＣＰＵ１０１は、オブジェクトＯＢｔに関するジョブの条件を設定不可能な状態にし（無効化し）（Ｓ１３３）、ステップＳ１０９の処理へ進む。一方、ステップＳ１３１において、複数人であると判別した場合（Ｓ１３１でＮＯ）、ＣＰＵ１０１は、設定を行ったユーザーのオブジェクトＯＢｔに関するジョブの条件を設定不可能な状態にし（無効化し）（Ｓ１４１）、ステップＳ１０９の処理へ進む。
【０１１２】
ステップＳ１０９において、ＣＰＵ１０１は、ｔの値がｙの値と等しいか（オブジェクトＯＢｔが最後のオブジェクトか）否かを判別する（Ｓ１０９）。ステップＳ１０９において、等しいと判別した場合（Ｓ１０９でＹＥＳ）、ＣＰＵ１０１はリターンする。一方、ステップＳ１０９において、等しくないと判別した場合（Ｓ１０９でＮＯ）、ＣＰＵ１０１はｔの値をインクリメントし（Ｓ１５１）、ステップＳ１０７の処理へ進む。
【０１１３】
［第２の実施の形態］
以降の第２〜第５の実施の形態では、１つのオブジェクトに関するジョブの条件が複数のユーザーによって設定されている場合（１つのオブジェクトに関する複数のユーザーのジョブの条件が設定情報テーブルに記載されている場合）の、そのオブジェクトの表示形態について説明する。
【０１１４】
本実施の形態において、ＭＦＰ１は、１つのオブジェクトに関するジョブの条件の設定を有効にしているユーザーの人数に基づいて、２つの表示形態のうちいずれの表示形態を採用するかを決定する。
【０１１５】
図１６は、本発明の第２の実施の形態において、操作パネル１３０の表示部１３４に表示された画面を模式的に示す図である。
【０１１６】
図１６（ａ）を参照して、プリントジョブにおけるステープルの設定に関して、ユーザーＡのみからコーナーの左上へのステープルの設定を受け付けた場合、ＭＦＰ１は、用紙のコーナーにステープルを行う設定を受け付けるオブジェクトＯＢ８と、用紙の左上にステープルを行う設定を受け付けるオブジェクトＯＢ９とを、ユーザーＡの色である赤色で表示する。ＭＦＰ１は、オブジェクトＯＢ８およびＯＢ９に、それぞれ「コーナー」および「左上」の文字を表示する。これにより、ユーザーＡが設定したジョブの条件は、オブジェクトＯＢ８およびＯＢ９において文字にて表示される。
【０１１７】
図１６（ｂ）を参照して、プリントジョブにおけるステープルの設定に関して、さらにユーザーＢから用紙の左側への２点でのステープルの設定を受け付けた場合、ＭＦＰ１は、ユーザーＡおよびユーザーＢの各々が設定したジョブの条件を図および記号で示す表示態様で、オブジェクトＯＢ８およびＯＢ９を表示する。具体的には、ＭＦＰ１は、オブジェクトＯＢ８およびオブジェクトＯＢ９の表示領域に、用紙を示す矩形の図形を２つ表示する。ＭＦＰ１は、左側の図形内にはユーザーＡのステープル位置を赤色で表示し、右側の図形内にはユーザーＢのステープル位置を青色で表示する。これにより、ユーザーＡおよびユーザーＢのステープルの設定の内容が図および記号にて表示される。
【０１１８】
つまり、ＭＦＰ１は、オブジェクトＯＢ８およびＯＢ９に関するジョブの条件の設定を有効にしているユーザーの人数に基づいて、オブジェクトＯＢ８およびＯＢ９の表示形態を変更する。たとえばＭＦＰ１は、オブジェクトＯＢ８およびＯＢ９に関するジョブの条件の設定を有効にしているユーザーが１人以下である場合には、図１６（ａ）の表示形態を採用し、オブジェクトＯＢ８およびＯＢ９に関するジョブの条件の設定を有効にしているユーザーが２人以上である場合には、図１６（ｂ）の表示形態を採用する。
【０１１９】
なお、図１６（ｂ）の場合のオブジェクトＯＢ８およびＯＢ９の表示態様は一例であり、ＭＦＰ１は、設定されているジョブの条件を、図および記号のうち少なくともいずれか一方で示す表示態様で、オブジェクトＯＢ８およびＯＢ９を表示すればよい。
【０１２０】
［第３の実施の形態］
本実施の形態において、ＭＦＰ１は、１つのオブジェクトに関して２人のユーザーが設定したジョブの条件が同一である場合には、設定されているジョブの条件が同一であることを示す表示形態でそのオブジェクトを表示し、１つのオブジェクトに関する２人のユーザーが設定したジョブの条件が相違する場合には、設定されているジョブの条件が相違することを示す表示形態でそのオブジェクトを表示する。
【０１２１】
図１７は、本発明の第３の実施の形態において、操作パネル１３０の表示部１３４に表示された画面を模式的に示す図である。
【０１２２】
図１７を参照して、プリントジョブの設定に関して、ＭＦＰ１は、Ａ４サイズの用紙の設定と、コーナーの左上へのステープルの設定とをユーザーＡから受け付けており、Ａ４サイズの用紙の設定と、用紙の左側への２点でのステープルの設定とをユーザーＢから受け付けている。この場合、ＭＦＰ１は、Ａ４サイズの用紙の設定を受け付けるオブジェクトＯＢ３に、ユーザーＡを示す赤色のポインターと、ユーザーＢを示す青色のポインターとを付加することにより、ユーザーＡおよびユーザーＢがいずれもＡ４サイズの用紙を設定していることを示す。またＭＦＰ１は、用紙のコーナーにステープルを行う設定を受け付けるオブジェクトＯＢ８と、用紙の左上にステープルを行う設定を受け付けるオブジェクトＯＢ９との各々に、ユーザーＡを示す赤色のポインターと、ユーザーＢを示す青色のポインターとを付加することにより、ユーザーＡおよびユーザーＢがいずれもステープルの設定を行っていることを示す。一方でＭＦＰ１は、オブジェクトＯＢ８およびＯＢ９の各々に、「設定異なります」の文字を表示する。これにより、ユーザーＡおよびＢのステープルの設定の内容が相違することが分かる。
【０１２３】
［第４の実施の形態］
本実施の形態において、ＭＦＰ１は、表示部１３４に対する複数のユーザーの各々の存在位置を位置検知部１７０で検知し、複数のユーザーの各々の存在位置を含む角度範囲の視野角で、複数のユーザーの各々が設定したジョブの条件を示す表示態様でオブジェクトを表示する。
【０１２４】
図１８は、操作パネル１３０に対するユーザーＡ〜Ｃの各々の存在位置と、ユーザーＡ〜Ｃの各々が設定したジョブの条件を示す視野角との関係を模式的に示す図である。なお図１８は、操作パネル１３０の表示部１３４を含む平面内から操作パネル１３０を見た場合の図である。
【０１２５】
図１８を参照して、操作パネル１３０にはマルチビューディスプレイが搭載されており、ユーザーは、操作パネル１３０を見る角度によって異なる画面を視認可能である。
【０１２６】
ユーザーＡの存在位置が位置Ｐ１であり、ユーザーＢの存在位置が位置Ｐ２であり、ユーザーＣの存在位置が位置Ｐ３であることを位置検知部１７０で検知した場合を想定する。この場合ＭＦＰ１は、位置Ｐ１を含む角度範囲θ１の視野角で、ユーザーＡが設定したジョブの条件を示す表示態様で各オブジェクトを表示し、位置Ｐ２を含む角度範囲θ２の視野角で、ユーザーＢが設定したジョブの条件を示す表示態様で各オブジェクトを表示し、位置Ｐ３を含む角度範囲θ３の視野角で、ユーザーＣが設定したジョブの条件を示す表示態様で各オブジェクトを表示する。これにより、各ユーザーは自分が設定したジョブの条件のみを視認することができる。
【０１２７】
図１９は、本発明の第４の実施の形態において、操作パネル１３０の表示部１３４に表示された画面を模式的に示す図である。
【０１２８】
図１９を参照して、ユーザーＡが存在する角度範囲θ１の視野角では（ａ）で示す画面が表示され、ユーザーＡが設定したジョブの条件を示す表示態様で各オブジェクトが表示される。この場合、ユーザーＢおよびＣが設定したジョブの条件は表示されない。たとえば、ユーザーＡがＡ４サイズの用紙を設定している場合には、Ａ４サイズの用紙の設定を受け付けるオブジェクトＯＢ３に赤色が付され、Ａ３サイズの用紙の設定を受け付けるオブジェクトＯＢ４と、手差し用紙の設定を受け付けるオブジェクトＯＢ５とには色は付されない。特に、オブジェクトＯＢ５はグレーアウトされてもよい。
【０１２９】
ユーザーＢが存在する角度範囲θ２の視野角では（ｂ）で示す画面が表示され、ユーザーＢが設定したジョブの条件を示す表示態様で各オブジェクトが表示される。この場合、ユーザーＡおよびＣが設定したジョブの条件は表示されない。たとえば、ユーザーＢがＡ３サイズの用紙を設定している場合には、Ａ３サイズの用紙の設定を受け付けるオブジェクトＯＢ４に青色が付され、Ａ４サイズの用紙の設定を受け付けるオブジェクトＯＢ３と、手差し用紙の設定を受け付けるオブジェクトＯＢ５とには色は付されない。特に、オブジェクトＯＢ５はグレーアウトされてもよい。
【０１３０】
ユーザーＣが存在する角度範囲θ３の視野角では（ｃ）で示す画面が表示され、ユーザーＣが設定したジョブの条件を示す表示態様で各オブジェクトが表示される。この場合、ユーザーＡおよびＢが設定したジョブの条件は表示されない。たとえば、ユーザーＣが手差し用紙を設定している場合には、手差し用紙の設定を受け付けるオブジェクトＯＢ５に緑色が付され、Ａ４サイズの用紙の設定を受け付けるオブジェクトＯＢ３と、Ａ３サイズの用紙の設定を受け付けるオブジェクトＯＢ４とには色は付されない。
【０１３１】
［第５の実施の形態］
本実施の形態において、ＭＦＰ１は、表示部１３４におけるオブジェクトが表示されていないエリアに表示したサブウィンドウ内に、複数のユーザーの各々が設定したジョブの条件を示す。
【０１３２】
図２０は、本発明の第５の実施の形態において、操作パネル１３０の表示部１３４に表示された画面を模式的に示す図である。
【０１３３】
図２０を参照して、プリントジョブの設定に関して、ＭＦＰ１が互いに異なる設定をユーザーＡ〜Ｃの各々からＭＦＰ１が受け付けた場合、ＭＦＰ１は、表示部１３４におけるオブジェクトが表示されていないエリア（図２０では右上部）にサブウィンドウＳＷ２を表示し、このサブウィンドウＳＷ２内に、ユーザーＡ〜Ｃの各々が設定したジョブの条件を表示する。具体的に、サブウィンドウＳＷ２には、ユーザーＡが設定したジョブの条件として、カラープリントの設定と、２ｉｎ１設定と、用紙のコーナーの左上にステープルを行う設定とが表示されている。ユーザーＢが設定したジョブの条件として、白黒プリントの設定と、４ｉｎ１設定とが表示されている。さらに、ユーザーＣが設定したジョブの条件として、カラープリントの設定と、Ｘ：８０ｍｍ、Ｙ：９０ｍｍのサイズの手差し用紙の設定とが表示されている。サブウィンドウＳＷ２の表示により、各ユーザーは、自分が設定したジョブの条件を確認することができる。
【０１３４】
［第６の実施の形態］
本実施の形態では、ユーザーから設定情報のリセットを受け付けた場合のＭＦＰ１の動作について説明する。
【０１３５】
図２１は、本発明の第６の実施の形態において、操作パネル１３０の表示部１３４に表示された画面を模式的に示す図である。
【０１３６】
図２１を参照して、プリントジョブの設定に関して、ＭＦＰ１が互いに異なる設定をユーザーＡ〜Ｃの各々から受け付けた場合、ＭＦＰ１は、（ａ）に示すように、ユーザーＡ〜Ｃの各々が設定したジョブの条件を示す表示形態で各オブジェクトを表示する。
【０１３７】
この画面を表示している状態で、キーＫ１の押下を受け付けた場合、ＭＦＰ１は、キーＫ１を押下したユーザーを特定し、そのユーザーの設定情報を設定情報テーブルから消去し、この消去を画面に反映する。この場合、キーＫ１を押下したユーザー以外のユーザーの設定情報をＭＦＰ１は変更も消去もしない。
【０１３８】
たとえば、キーＫ１を押下したユーザーがユーザーＡであることを人体通信部１３７で特定した場合には、ＭＦＰ１は、（ｂ）に示すように、ユーザーＡが選択した「２．ｐｄｆ」というデータを取り囲んでいた赤線を消去し、ユーザーＡが設定したジョブの条件に関するオブジェクトであるオブジェクトＯＢ３およびＯＢ６に付されていた赤色を消去する。さらにＭＦＰ１は、ユーザーＡの設定情報の消去に伴い、必要に応じて他のユーザーが設定したジョブの条件の表示形態を変更する。具体的には、ＭＦＰ１は、ユーザーＡによって設定されていたステープルの条件に関するオブジェクトであるオブジェクトＯＢ８およびＯＢ９の表示形態を、ユーザーＢによる設定のみを示す表示形態に変更する。またＭＦＰ１は、ユーザーＡおよびＣによって設定されていたカラープリントの設定に関するオブジェクトであるオブジェクトＯＢ１の表示形態を、ユーザーＣによる設定のみを示す表示形態に変更する。これにより、ユーザーＡは、ユーザーＢおよびＣの設定情報を代えること無く自らの設定情報のみを消去することができる。
【０１３９】
［第７の実施の形態］
本実施の形態において、ＭＦＰ１は、表示部１３４に表示したオブジェクトでダブルクリックを受け付け、そのオブジェクトでダブルクリックを受け付けた場合に、ダブルクリックの１回目のクリックを行ったユーザーと、ダブルクリックの２回目のクリックを行ったユーザーとが同一であるか否かを判別する。そしてＭＦＰ１は、同一である場合に、そのユーザーのジョブの条件の設定の情報を設定情報テーブルに記憶する。
【０１４０】
図２２〜図２５は、本発明の第７の実施の形態における操作パネル１３０の表示画面の変化の一例を説明する図である。
【０１４１】
図２２を参照して、プリントジョブの設定に関して、ＭＦＰ１は、ユーザーＡ〜Ｃの各々が設定したジョブの条件を示す表示形態で各オブジェクトを示している。この画面において、オブジェクトＯＢ８のシングルクリックを受け付けた場合とオブジェクトＯＢ８のダブルクリックを受け付けた場合とで、設定されるジョブの条件が異なるものとする。具体的には、オブジェクトＯＢ８のシングルクリックを受け付けた場合、ＭＦＰ１は、シングルクリックをしたユーザーの、用紙のコーナーにステープルを行う設定を受け付け、オブジェクトＯＢ８のダブルクリックを受け付けた場合、ＭＦＰ１は、ダブルクリックをしたユーザーの、用紙の２点にステープルを行う設定を受け付けるものとする。
【０１４２】
オブジェクトＯＢ８のダブルクリックを受け付けた場合、ＭＦＰ１は、ダブルクリックの１回目のクリックを行ったユーザーと、ダブルクリックの２回目のクリックを行ったユーザーとが同一であるか否かを判別する。
【０１４３】
図２３を参照して、判別の結果、同一であると判別した場合、ＭＦＰ１は、ダブルクリックを行ったユーザー（ここではユーザーＡ）の設定情報として、用紙の２点にステープルを行う設定の情報（第３の設定の情報の一例）を設定情報テーブルに登録し、「２点」という文字を表示したオブジェクトＯＢ８を赤色で表示することにより、ユーザーＡが設定したジョブの条件を示す。
【０１４４】
図２４を参照して、一方、ダブルクリックの１回目のクリックを行ったユーザーと、ダブルクリックの２回目のクリックを行ったユーザーとが相違すると判別した場合、ＭＦＰ１は、２人の異なるユーザー（ここではユーザーＡおよびＢ）の各々がわずかな時間差でオブジェクトＯＢ８をシングルクリックしたものと判断する。この場合、ＭＦＰ１は、シングルクリックを行った２人のユーザー（ここではユーザーＡおよびＢ）が設定したジョブの条件として、用紙のコーナーにステープルを行う設定の情報を設定情報テーブルに登録し、図２５に示すように、オブジェクトＯＢ８に赤色のポインターと青色のポインターとを付加することにより、ユーザーＡおよびＢが設定したジョブの条件を示す。
【０１４５】
［第８の実施の形態］
本実施の形態では、複数のユーザーが共同して１つのジョブを実行する場合のＭＦＰ１の動作について説明する。
【０１４６】
複数のユーザーが共同して１つのジョブ（ここでは原稿を出力するジョブ）を実行する場合、各ユーザーは、自分の担当分のデータをパソコンなどの個人端末にて作成して、サーバーなどにおける自分が権限を有するデータストレージにそのデータを予め保存する。そして各ユーザーは、ジョブを実行する際に、ＭＦＰからそれぞれのデータストレージにアクセスして原稿を持ち寄り、ＭＦＰの前で各ユーザーのデータを結合して１つの原稿を完成させ、各ユーザーの話し合いにより決定したレイアウトでその原稿を出力する。
【０１４７】
この場合、各ユーザーのみが権限を有するデータストレージにデータは保存されているため、各ユーザーのデータを結合するためには各ユーザーによるＭＦＰの操作が必要である。また、レイアウトを決めるためにも、各ユーザーは共同で作業を行う必要がある。
【０１４８】
図２６は、本発明の第８の実施の形態において、操作パネル１３０の表示部１３４に表示された画面を模式的に示す図である。
【０１４９】
図２６を参照して、ユーザーＡが作成した原稿（第１章の原稿）と、ユーザーＢが作成した原稿（第２章の原稿）と、ユーザーＣが作成した原稿（第３章の原稿）とを、ＭＦＰ１が１つの原稿にまとめて、その原稿を出力する場合を想定する。ユーザーＡ、Ｂ、およびＣの原稿はそれぞれ、ネットワーク４ａに接続されたサーバー（図示無し）における、原稿の作成主であるユーザーのみがアクセス権限を有するデータストレージに保存されている。
【０１５０】
表示部１３４には、ユーザーＡ、Ｂ、およびＣのデータストレージ領域と、各ユーザーが共同で作業を行う共有領域と、原稿の出力の条件の設定（出力設定）を受け付けるオブジェクトとが表示される。各ユーザーのデータストレージ領域内のファイルは、その領域のアクセス権限を有するユーザーのみが操作可能であり、権限を持たないユーザーが触れても、格納されているファイルを動かすことはできない。一方、共有領域内のファイルは全てのユーザーが操作可能である。したがって、ユーザーＡ、Ｂ、およびＣの各々のデータストレージ領域のファイルが、ユーザーＡ、Ｂ、およびＣの各々によって共有領域に移動（またはコピー）された場合には、そのファイルは全てのユーザーによって操作可能となる。たとえばユーザーＡは、ユーザーＢが作成した原稿がユーザーＢのデータストレージ領域にある場合には、その原稿のデータを操作することはできないが、ユーザーＢが作成した原稿が共有領域にある場合には、その原稿のデータを操作することができる。各ユーザーのデータストレージ領域から共有領域へデータを移動する操作を各ユーザーから受け付けた場合に、ＭＦＰ１は、各ユーザーのデータを結合して１つの原稿を作成する。
【０１５１】
原稿の出力の条件については、ＭＦＰ１は、同時に設定することのできない２つのジョブの条件のうち、先に設定を受け付けた条件によって設定不可能となるジョブの条件に関するオブジェクトをグレーアウトするなどすることにより、同時に設定できない旨を表示する。これにより、後に設定を受け付けたジョブの条件が優先されて、前に設定を受け付けたジョブの条件が自動解除されることにより、混乱を回避することができる。
【０１５２】
［実施の形態の効果］
上述の実施の形態において、ＭＦＰ１は、人体通信による認証機能によって、複数のユーザーから同時に操作を受け付けた場合に、それぞれのユーザーの操作を区別して検出し、設定情報をユーザー毎に区別して設定情報テーブルに保持し、表示画面におけるオブジェクトの表示形態に反映する。またＭＦＰ１は、ユーザーが行った設定とは組み合わせ不可能な他のジョブの条件の設定を無効化する。これにより、各ユーザーは、自分が行った設定、および自分が行った設定により設定不可能となったジョブの条件を同時かつ容易に認識することができる。その結果、複数のユーザーによる操作の利便性を向上することができる。
【０１５３】
またＭＦＰ１は、いずれかのユーザーからジョブの条件の設定を受け付けた場合、そのジョブの条件とは組み合わせ不可能なジョブの条件の設定を無効化する。この場合、無効にされたジョブの条件は、いずれのユーザーも設定することができない。たとえば図２６において、オブジェクトＯＢ１２およびＯＢ１３を通じてステープルに関する設定を受け付けた場合には、ＭＦＰ１は、オブジェクトＯＢ１２およびＯＢ１３に色を付し、小冊子の設定に関するオブジェクトＯＢ１０およびＯＢ１１をグレーアウトする。これによりＭＦＰ１は、オブジェクトＯＢ１２およびＯＢ１３とは同時に設定することができない旨を表示する。
【０１５４】
［その他］
ＭＦＰ１が受け付ける設定は、ＭＦＰ１が実行するジョブの条件の設定以外のものであってもよく、ＭＦＰ１が実行する動作に関する設定であればよい。ＭＦＰ１は、オブジェクトを、受け付けた設定の情報を示す表示形態で表示すればよい。
【０１５５】
上述の実施の形態は適宜組み合わせることができる。たとえば、第１の実施の形態と、第２〜第８の実施の形態の各々とを組み合わせることもできるし、第８の実施の形態と、第２〜第７の実施の形態の各々とを組み合わせることもできる。
【０１５６】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１５７】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１５８】
１，１−１〜１−ｎ  ＭＦＰ
２  情報処理装置
３  人体通信装置
４，４ａ，４ｂ  ネットワーク
４ｃ  ネットワークケーブル
５  外部ネットワーク
１００  制御部
１０１  ＣＰＵ
１０２  ＲＯＭ
１０３  ＳＲＡＭ
１０４  ＮＶＲＡＭ
１０５  時計ＩＣ
１１０  固定記憶装置
１２０  画像読取装置
１３０  操作パネル
１３１  テンキー
１３２  プリントキー
１３３  ログアウトキー
１３４  表示部
１３５  入出力部
１３６  接触位置検出部
１３７  人体通信部
１３８  スタートキー
１３９  ストップキー
１４０  画像出力装置
１５０  プリンターコントローラー
１６０  ネットワークＩ／Ｆ
１７０  位置検知部
Ｋ１  キー
ＯＢ，ＯＢ１〜ＯＢ１３  オブジェクト
ＯＢ５ａ〜ＯＢ５ｃ  分割領域
Ｐ１〜Ｐ３  位置
ＳＷ１，ＳＷ２  サブウィンドウ
ＴＮ  サムネイル画像
【図１】
2013162299.tif 000003
【図２】
2013162299.tif 000004
【図３】
2013162299.tif 000005
【図４】
2013162299.tif 000006
【図５】
2013162299.tif 000007
【図６】
2013162299.tif 000008
【図７】
2013162299.tif 000009
【図８】
2013162299.tif 000010
【図９】
2013162299.tif 000011
【図１０】
2013162299.tif 000012
【図１１】
2013162299.tif 000013
【図１２】
2013162299.tif 000014
【図１３】
2013162299.tif 000015
【図１４】
2013162299.tif 000016
【図１５】
2013162299.tif 000017
【図１６】
2013162299.tif 000018
【図１７】
2013162299.tif 000019
【図１８】
2013162299.tif 000020
【図１９】
2013162299.tif 000021
【図２０】
2013162299.tif 000022
【図２１】
2013162299.tif 000023
【図２２】
2013162299.tif 000024
【図２３】
2013162299.tif 000025
【図２４】
2013162299.tif 000026
【図２５】
2013162299.tif 000027
【図２６】
2013162299.tif 000028